(57)【要約】【課題】  屈曲の内側へ肉が偏ることを抑制することができる管状体の製造方法を提供する。【解決手段】  管状体である燃料ホースは、管状素材であるホース素材１５ａを加工工程で所定形状とした後、加硫処理を施して得られる。加工工程では、縮径治具であるキャップ３１と、マンドレル４１とが使用される。キャップ３１は、第２押圧部３４を有している。この第２押圧部３４は、ホース素材１５ａを所定形状とする際、燃料ホースとした場合に該燃料ホースの屈曲部と普通径部との境界領域となる部位のうち屈曲の内側となる箇所であるコーナー内側部１５ｂの近接位置１５ｃをマンドレル４１へ向かって押圧する。【選択図】      図６
2006192801.tif 000002
【特許請求の範囲】
【請求項１】
車両で使用され、管状をなす普通径部と、該普通径部に比べて外径が小さな管状をなす小径部と、該小径部を前記普通径部に対して曲がった状態で繋げる屈曲部とを有する管状体の製造方法であって、
未加硫又は半加硫のゴムを材料に使用した押出成形法によって均一な外径の管状素材を成形する成形工程と、前記管状体とした場合に前記小径部及び前記屈曲部とするべく、前記成形工程で得られた前記管状素材の一方の端部を縮径及び屈曲させる加工工程と、該加工工程で一方の端部が縮径及び屈曲された前記管状素材に加硫処理を施す加硫工程とを備え、
前記加工工程では、前記管状素材の一方の端部を縮径及び屈曲させるとき、前記管状素材の内部に挿入されるマンドレルと、前記管状素材の一方の端部に外嵌される縮径治具とを使用し、前記管状体とした場合に前記屈曲部と前記普通径部との境界領域となる部位のうち屈曲の内側となる箇所を、前記縮径治具により前記マンドレルへ向かって押圧することを特徴とする管状体の製造方法。
【請求項２】
前記縮径治具は、前記小径部の外径と対応する内径となるように筒状に形成された縮径部と、前記屈曲部のうち屈曲の内側となる外周面の形状と対応するように前記縮径部の内周面に対して傾斜状に形成された第１傾斜面と、前記普通径部のうち屈曲の内側となる外周面の形状と対応するように前記第１傾斜面に対して傾斜状に形成された第２傾斜面とを備えていることを特徴とする請求項１に記載の管状体の製造方法。
【請求項３】
前記縮径部の前記内周面、前記第１傾斜面及び前記第２傾斜面は、それぞれ連続して設けられていることを特徴とする請求項２に記載の管状体の製造方法。
【発明の詳細な説明】
【技術分野】
【０００１】
本発明は、車両において、燃料ホース、ラジエータホース等として使用される管状体の製造方法に関するものである。
【背景技術】
【０００２】
従来、車両で使用される管状体として、例えば燃料タンクに設けられた接続筒と、給油口から延びる給油管との間を接続する合成ゴム製の燃料ホースが挙げられる。ところで、近年の車両には、燃料タンクを合成樹脂製とし、給油管を金属製としたものがある。このような車両の場合、接続筒の周壁の厚み（肉厚）は、強度維持等の観点から、給油管の肉厚に比べて厚くなっている。このため、接続筒の外径は、給油管の外径に比べて大きくなる。そして、互いに外径が異なる接続筒及び給油管を接続する場合には、燃料ホースとして、一端部と他端部とで内径の大きさを異ならせた、いわゆる「異径ホース」が使用される。
【０００３】
さて、上記の異径ホースを製造する方法として、ホースの一端部を拡径加工する方法が挙げられる（例えば、特許文献１及び特許文献２）。しかし、一端部を拡径加工して得られる異径ホースは、その拡径部分にクラックが生じたり、不均一な薄肉化によってシール性が低下したりする等のおそれがある。そこで、一端部を縮径加工することによって得られる異径ホースが提供されている（例えば、特許文献３）。
【０００４】
縮径加工を行う場合、図７に示すように、縮径治具である端部縮径キャップ７１と、マンドレル７２とが使用される。すなわち、端部縮径キャップ７１は円筒形状をなしており、同軸位置に一端開口７３側から他端開口７４側に貫通してホース挿嵌部７５と、ホース挿嵌部７５より内径の小さなマンドレル挿嵌部７６とが順次、配置されている。ホース挿嵌部７５は、管状素材である未加硫のゴムホース素材７７の挿入を容易にするため、その内周面が一端開口７３側へ向かうにつれ拡径するように、傾斜状に形成されている。マンドレル７２は、棒状をなしており、ゴムホース素材７７の内部に挿入される。ゴムホース素材７７は、マンドレル７２が挿入された状態で該マンドレル７２とともに端部縮径キャップ７１のマンドレル挿嵌部７６に挿嵌することにより、一端部が縮径される。そして、このゴムホース素材７７を加硫することにより、一端部が縮径された異径ホースが得られる。
【特許文献１】特開平５−３０１２８６号公報
【特許文献２】特開平９−１０９１６０号公報
【特許文献３】特開平１０−２３８６６８号公報
【発明の開示】
【発明が解決しようとする課題】
【０００５】
ところで、車両用の管状体（ホース）には、例えば燃料ホース、ラジエータホース等のように、狭いエンジンルーム内で他の部品を避けつつ配置するべく、その中間部が屈曲されたもの、いわゆる「曲がりホース」がある。さらに、例えば燃料ホースのように、曲がりホースであり、なおかつ異径ホースでもある、いわゆる「屈曲・異径ホース」もある。そして、このような屈曲・異径ホースとして、縮径部分（小径部）と、一般径部分（普通径部）との境界領域で屈曲させたものが存在する。
【０００６】
しかし、このような小径部と普通径部との境界領域で屈曲させた屈曲・異形ホースを前記端部縮径キャップ７１を用いて製造しようとする場合、ゴムホース素材７７の外周面に形状不良が生じるおそれがある。すなわち、屈曲部が小径部及び普通径部の境界領域と同位置となる場合、縮径による厚肉化に加え、屈曲による内側部分への肉の集中により、ゴムホース素材７７の外周面で屈曲の内側へ肉が偏るため、形状不良として図７に示すような局部的な膨らみ７８が形成されてしまう。
【０００７】
このような膨らみ７８が形成されてしまった場合、屈曲部の肉厚が不均一となり、肉厚の薄い部分へ応力等が集中しやすくなって、管状体（ホース）の耐久性の低下を招くことになる。また、このような膨らみ７８を有する屈曲・異径ホースは、膨らみのないものに比べて外観的な品質が劣る。さらに、燃料ホースであれば燃料、ラジエータホースであれば冷却液等のような流体が膨らみ７８を通過するとき、該流体に対する抵抗が増してしまうため、整流性の低下も懸念される。
【０００８】
本発明は、このような従来技術に存在する問題点に着目してなされたものである。その目的とするところは、屈曲の内側へ肉が偏ることを抑制することができる管状体の製造方法を提供することにある。
【課題を解決するための手段】
【０００９】
上記の目的を達成するために、請求項１に記載の管状体の製造方法の発明は、車両で使用され、管状をなす普通径部と、該普通径部に比べて外径が小さな管状をなす小径部と、該小径部を前記普通径部に対して曲がった状態で繋げる屈曲部とを有する管状体の製造方法であって、未加硫又は半加硫のゴムを材料に使用した押出成形法によって均一な外径の管状素材を成形する成形工程と、前記管状体とした場合に前記小径部及び前記屈曲部とするべく、前記成形工程で得られた前記管状素材の一方の端部を縮径及び屈曲させる加工工程と、該加工工程で一方の端部が縮径及び屈曲された前記管状素材に加硫処理を施す加硫工程とを備え、前記加工工程では、前記管状素材の一方の端部を縮径及び屈曲させるとき、前記管状素材の内部に挿入されるマンドレルと、前記管状素材の一方の端部に外嵌される縮径治具とを使用し、前記管状体とした場合に前記屈曲部と前記普通径部との境界領域となる部位のうち屈曲の内側となる箇所を、前記縮径治具により前記マンドレルへ向かって押圧することを要旨とする。
【００１０】
上記の構成によれば、管状体とした場合に屈曲部と普通径部との境界領域となる部位のうち屈曲の内側となる箇所を、縮径治具で押圧することにより、該箇所が外側へ向かって膨らむことを抑制することができる。このように屈曲の内側となる箇所で膨らみが抑制されることにより、縮径及び屈曲によって余った肉は、屈曲の外側へ向かって移動し、分散される。その結果、屈曲の内側へ肉が偏ることを抑制することができる。
【００１１】
請求項２に記載の管状体の製造方法の発明は、請求項１に記載の発明において、前記縮径治具は、前記小径部の外径と対応する内径となるように筒状に形成された縮径部と、前記屈曲部のうち屈曲の内側となる外周面の形状と対応するように前記縮径部の内周面に対して傾斜状に形成された第１傾斜面と、前記普通径部のうち屈曲の内側となる外周面の形状と対応するように前記第１傾斜面に対して傾斜状に形成された第２傾斜面とを備えていることを要旨とする。
【００１２】
上記の構成によれば、縮径部によって管状素材の一端が縮径されるとともに、第１傾斜面によって屈曲部となる部位の外周面の形状が整えられる。さらに、第２傾斜面によって屈曲部と普通径部との境界領域となる部位を含む普通径部となる部位の外周面の形状が整えられる。その結果、管状体の外周面の形状を好適に整えることができ、屈曲部における肉厚を略均一なものとすることができる。
【００１３】
請求項３に記載の管状体の製造方法の発明は、請求項１又は請求項２に記載の発明において、前記縮径部の前記内周面、前記第１傾斜面及び前記第２傾斜面は、それぞれ連続して設けられていることを要旨とする。
【００１４】
上記の構成によれば、縮径部の前記内周面、前記第１傾斜面及び前記第２傾斜面を連続して設けることにより、管状体において、小径部、屈曲部及び普通径部のそれぞれの外周面を連続面とすることができる。その結果、屈曲部における外周面の膨らみを好適に抑制することができる。
【発明の効果】
【００１５】
本発明によれば、屈曲の内側へ肉が偏ることを抑制することができる。
【発明を実施するための最良の形態】
【００１６】
以下、本発明の管状体を車両の給油装置で使用される燃料ホースに具体化した一実施形態について説明する。
図１（ａ）に示すように、車両の給油装置１０は、燃料を貯留するための燃料タンク１１と、該燃料タンク１１へ燃料を供給するための給油口１２とを備えている。燃料タンク１１は合成樹脂からなり、その上面には接続筒１３が給油口１２へ向かうように突設されている。給油口１２には、金属製の給油管１４が燃料タンク１１へ向かうように延設されている。ここで、図１（ｂ），（ｃ）に示すように、接続筒１３はその内径（Ｔｉｎ）が、給油管１４の内径（Ｐｉｎ）と同値（Ｔｉｎ＝Ｐｉｎ）になるように形成されている。一方、接続筒１３は、強度保持等の観点から、その肉厚が給油管１４の肉厚よりも厚くなるように形成されている。従って、接続筒１３は、その外径（Ｔｏｕｔ）が給油管１４の外径（Ｐｏｕｔ）よりも大きく（Ｔｏｕｔ＞Ｐｏｕｔ）なるように形成されている。
【００１７】
接続筒１３と給油管１４との間には、合成ゴム製の燃料ホース１５が接続されている（図１（ａ）を参照）。この燃料ホース１５は、接続筒１３及び給油管１４に対し、それぞれの端部が燃料ホース１５の内部へ嵌入されることによって接続されている。また、接続筒１３及び給油管１４の外周面上には、燃料ホース１５を抜け止めするための突起１６が設けられている（図１（ｂ），（ｃ）を参照）。なお、特に図示はしないが、燃料ホース１５は、クランプを使用することにより、接続筒１３及び給油管１４のそれぞれに緊結されている。
【００１８】
図２（ａ）に示すように、燃料ホース１５は、Ｌ字管状をなす普通径部２１と、この普通径部２１に比べて外径が小さな直管状をなす小径部２２と、この小径部２２を普通径部２１の一端（先端）へと繋ぐ屈曲部２３とを有している。普通径部２１及び小径部２２は、均一な外径となるようにそれぞれ形成されている。屈曲部２３は、普通径部２１と小径部２２とで外径がそれぞれ異なることから、普通径部２１の一端から小径部２２へ向かうに連れて縮径するように、その外周面が斜面状に形成されている。また、屈曲部２３と小径部２２との境界領域である第１領域２４と、屈曲部２３と普通径部２１との境界領域である第２領域２５とにおいて、それぞれの外周面の形状は、なだらかな曲面状をなすように形成されている。そして、これら第１領域２４及び第２領域２５を介して繋がる小径部２２、屈曲部２３及び普通径部２１のそれぞれの外周面は、連続面とされている。
【００１９】
燃料ホース１５は、普通径部２１が前記接続筒１３に接続され、小径部２２が前記給油管１４に接続されるように構成されている。図２（ｂ）に示すように、小径部２２は、その内径（Ｓｉｎ）が前記給油管１４の外径（Ｐｏｕｔ）と同等もしくは若干小さく（Ｓｉｎ≦Ｐｏｕｔ）なるように形成されている。なお、本実施形態では、ＳｉｎがＰｏｕｔよりも１ｍｍ小さくなるように形成されている。一方、図２（ｃ）に示すように、普通径部２１は、その内径（Ｎｉｎ）が前記接続筒１３の外径（Ｔｏｕｔ）と同等もしくは若干小さく（Ｎｉｎ≦Ｔｏｕｔ）なるように形成されている。なお、本実施形態では、ＮｉｎがＴｏｕｔよりも１ｍｍ小さくなるように形成されている。
【００２０】
そして、小径部２２は、普通径部２１との内径差に伴い、その外径（Ｓｏｕｔ）が普通径部２１の外径（Ｎｏｕｔ）に比べて小さくなる（Ｓｏｕｔ＜Ｎｏｕｔ）。さらに、この燃料ホース１５は、接続筒１３及び給油管１４の間を好適に接続するため、接続筒１３及び給油管１４がそれぞれ延びる方向に合わせるように、屈曲部２３で屈曲されている。つまり、小径部２２は、該屈曲部２３を介すことにより、普通径部２１に対して図２（ａ）中で上方へ曲がった（屈曲された）状態で繋がっている。
【００２１】
次に、燃料ホース１５の製造に使用する縮径治具及びマンドレルについて説明する。
まず、縮径治具について、図３（ａ），（ｂ）を用いて説明する。縮径治具であるキャップ３１は、前記燃料ホース１５の前記小径部２２を形成するための縮径部３２を有している。この縮径部３２は、円筒状に形成されており、その内径（Ｒ１）が前記小径部２２の外径（Ｓｏｕｔ）と対応して同値（Ｒ１＝Ｓｏｕｔ）とされている。キャップ３１の一端側（図３（ｂ）中で右側）において、縮径部３２の端面には、第１押圧部３３が円環状をなすように突設されている。さらに、キャップ３１の一端側において、第１押圧部３３の端面には、第２押圧部３４が円環状をなすように突設されている。この第２押圧部３４は、その開口径（Ｒ３）が第１押圧部３３の開口径（Ｒ２）よりも大きくなる（Ｒ２＜Ｒ３）ように形成されている。なお、縮径部３２、第１押圧部３３及び第２押圧部３４は、互いに同軸位置となるように配置されている。
【００２２】
第１押圧部３３の内周面は、縮径部３２の内周面３２ａに対し、一端側へ向かうに連れて拡径するような傾斜状に形成されることにより、第１傾斜面３３ａを構成している。この第１押圧部３３は、前記燃料ホース１５の前記屈曲部２３を形成するためのものである。従って、第１押圧部３３の第１傾斜面３３ａは、前記屈曲部２３において、屈曲の内側（図２（ａ）中で上側）となる外周面の形状と対応している。そして、縮径部３２の内周面３２ａと第１傾斜面３３ａとは、前記第１領域２４を介して繋がる前記小径部２２及び前記屈曲部２３の各外周面を連続面とするべく、これら面の境界に、例えば段差、角部等が存在しない一様な面となるように、連続して設けられている。
【００２３】
第２押圧部３４の内周面は、第１傾斜面３３ａに対し、一端側へ向かうに連れて拡径するような傾斜状に形成されることにより、第２傾斜面３４ａを構成している。この第２押圧部３４は、前記燃料ホース１５において前記第２領域２５となる箇所を押圧するためのものである。すなわち、第２押圧部３４は、前記第２領域２５となる箇所、具体的には前記第２領域２５を含む普通径部２１の外周面となる部位を押圧することにより、該第２領域２５となる箇所に膨らみ等の形状不良が形成されることを抑制している。従って、第２押圧部３４の第２傾斜面３４ａは、前記第２領域２５へと繋がる前記普通径部２１の外周面を面一とするべく、前記普通径部２１において、屈曲の内側となる外周面の形状と対応している。そして、第１傾斜面３３ａと、第２傾斜面３４ａとは、前記第２領域２５を介して繋がる前記屈曲部２３及び前記普通径部２１の各外周面を連続面とするべく、これら面の境界に、例えば段差、角部等が存在しない一様な面となるように、連続して設けられている。
【００２４】
キャップ３１の他端側（図３（ｂ）中で左側）において、縮径部３２の開口は当接壁３５によって閉塞されている。この当接壁３５には、四角形状をなす係合孔３６が透設されている。また、当接壁３５の内面には、係止凹部３７が円形状をなすように凹設されている。これら当接壁３５、係合孔３６及び係止凹部３７は、当該キャップ３１と、以下に記載のマンドレルとを連結するために設けられたものである。
【００２５】
次いで、マンドレルについて、図４（ａ），（ｂ）を用いて説明する。マンドレル４１は、所望とする前記燃料ホース１５の内周面の形状と対応するように、曲げ棒状に形成されている。すなわち、マンドレル４１は、前記燃料ホース１５の前記普通径部２１を形成するための第１成形部４２を有している。この第１成形部４２は、前記普通径部２１の内周面の形状に対応して、Ｌ字棒状をなすように形成され、その直径が前記普通径部２１の内径（Ｎｉｎ）と同値とされている。
【００２６】
第１成形部４２の先端（図４（ｂ）中で左端）には、前記屈曲部２３を形成するための第２成形部４３が設けられている。この第２成形部４３は、前記屈曲部２３の内周面の形状に対応して、その先端に向かうに連れて縮径する柱状をなすように形成されている。第２成形部４３の先端には、前記小径部２２を形成するための第３成形部４４が設けられている。この第３成形部４４は、その直径が前記小径部２２の内径（Ｓｉｎ）と同値となる円柱状に形成されている。
【００２７】
また、第３成形部４４の先端には、軸体４５を介して係合レバー４６が取り付けられている。この係合レバー４６は、前記キャップ３１の係合孔３６と対応するサイズとなるように角柱状に形成されており、軸体４５を中心として第３成形部４４に対して回転可能に構成されている。そして、係合孔３６に係合レバー４６が挿通された状態で、該係合レバー４６を回転させることにより、係合レバー４６が当接壁３５の外面に係合され、マンドレル４１とキャップ３１とが連結されるようになっている。
【００２８】
次に、燃料ホース１５の製造方法について説明する。
燃料ホース１５は、成形工程と、加工工程と、加硫工程との３工程を経て製造される。
前記成形工程は、燃料ホース１５の素材である管状素材としてのホース素材１５ａを成形する工程である。このホース素材１５ａは、未加硫又は半加硫の合成ゴムを材料に使用した押出成形法により、均一な外径及び内径となるように成形される。なお、本実施形態では、合成ゴムとしてニトリルゴム（ＮＢＲ）と塩化ビニル樹脂（ＰＶＣ）の混合体（ポリマーブレンド）を使用している。また、未加硫又は半加硫の合成ゴムは、弾性を有しておらず、その形状を変更することが可能となっている。
【００２９】
前記加工工程は、前記キャップ３１及び前記マンドレル４１を使用し、外径及び内径が均一なホース素材１５ａの一方の端部を縮径及び屈曲させる工程である。すなわち、この加工工程において、ホース素材１５ａは、最終形状である燃料ホース１５の形状（前記普通径部２１、前記小径部２２及び前記屈曲部２３を有する形状）に近似した形状となる。
【００３０】
前記加硫工程は、一方の端部が縮径及び屈曲されたホース素材１５ａに加硫処理を施し、該ホース素材１５ａから燃料ホース１５を得る工程である。すなわち、未加硫又は半加硫の合成ゴムからなるホース素材１５ａは、加硫処理が施されることによって弾性を付与され、形状が安定化することによって燃料ホース１５とされる。なお、加硫処理を施すための装置としては、プレス装置、加硫缶、加硫機等が挙げられる。
【００３１】
次いで、前記加工工程について、詳細に説明する。
加工工程においては、まず図５に示すように、ホース素材１５ａの内部にマンドレル４１が挿入される。なお、特に図示はしないが、ホース素材１５ａの基端部は、このマンドレル４１の挿入によってＬ字状に成形され、前記加硫工程で前記普通径部２１となる。次いで、ホース素材１５ａとともにマンドレル４１の先端部がキャップ３１の内部に挿入される。このキャップ３１の内部への挿入に伴い、ホース素材１５ａの一方の端部は、縮径部３２の内周面３２ａと、第３成形部４４の外周面との間に挟まれて変形し、縮径される。その後、マンドレル４１の先端がキャップ３１の係止凹部３７に接触するまで、ホース素材１５ａ及びマンドレル４１をキャップ３１の内部へ押し込み、マンドレル４１とキャップ３１とを連結して、ホース素材１５ａの一方の端部にキャップ３１を外嵌させる。すると、図６に示すように、ホース素材１５ａの一部が第１押圧部３３の第１傾斜面３３ａと、第２成形部４３の外周面との間に挟まれて変形し、マンドレル４１の形状に沿って屈曲される。そして、ホース素材１５ａの縮径された部位は、前記加硫工程で小径部２２となり、屈曲された部位は、前記加硫工程で屈曲部２３となる。
【００３２】
さて、前記の縮径及び屈曲において、ホース素材１５ａを形成する合成ゴム（肉）は、屈曲の内側となるコーナー内側部１５ｂに集中しようとする。このコーナー内側部１５ｂにおいては、第１傾斜面３３ａと第２成形部４３の外周面との間で肉を収容するようになっており、その収容量には限界がある。このため、第１傾斜面３３ａと第２成形部４３の外周面との間に収容しきれず余った肉は、コーナー内側部１５ｂの近接部１５ｃへ向かって移動し、該近接部１５ｃが膨らもうとする（図７の「膨らみ７８」を参照）。
【００３３】
一方、図６に示したように、この近接部１５ｃにおいては、第２傾斜面３４ａと第１成形部４２の外周面との間で肉を収容するようになっている。このため、肉の移動によって膨らもうとする近接部１５ｃは、第２傾斜面３４ａにより、マンドレル４１の表面である第１成形部４２の外周面へ向かって押圧されることとなる。そして、余った肉は、第２傾斜面３４ａ、第１成形部４２の外周面等に案内され、屈曲の外側となるコーナー外側部１５ｄへ向かって移動する。その結果、コーナー内側部１５ｂに肉が偏ることなく、コーナー内側部１５ｂ及びコーナー外側部１５ｄで肉厚が略均一となる。なお、このコーナー外側部１５ｄの周囲においては、ホース素材１５ａの外周面と、第１傾斜面３３ａ及び第２傾斜面３４ａとの間に隙間３１ａが存在する。このため、コーナー外側部１５ｄの周囲には、余った肉を収容するに足る十分な余裕がある。
【００３４】
前記の実施形態によって発揮される効果について、以下に記載する。
・  ホース素材１５ａに外嵌されるキャップ３１は、燃料ホース１５の第２領域２５となる箇所を押圧するための第２押圧部３４を有している。そして、燃料ホース１５を製造するときの加工工程において、第２押圧部３４は、ホース素材１５ａのコーナー内側部１５ｂを押圧し、形状不良である膨らみが形成されることを防止している。従って、コーナー内側部１５ｂに肉が偏ることを防止することができ、屈曲部２３の肉厚が略均一となるため、燃料ホース１５の耐久性の向上を図ることができる。また、屈曲部２３及びその周縁で肉厚が略均一となるため、外観品質の向上を図ることができる。さらに、屈曲部２３及びその周縁の内周面には、膨らみ、段差等の形状不良がないため、流体である燃料に対する整流性の向上を図ることもできる。
【００３５】
・  また、コーナー外側部１５ｄの周囲においては、ホース素材１５ａの外周面と、第１傾斜面３３ａ及び第２傾斜面３４ａとの間に隙間３１ａが存在する。そして、コーナー内側部１５ｂに偏ろうとしていた肉は、第２傾斜面３４ａ、第１成形部４２の外周面等に案内され、隙間３１ａへ収容されるようにコーナー外側部１５ｄへ向かって移動し、分散される。従って、コーナー内側部１５ｂ及びコーナー外側部１５ｄで肉厚を略均一とすることができる。
【００３６】
・  また、キャップ３１は、第１傾斜面３３ａが屈曲部２３の外周面の形状に対応するように形成され、第２傾斜面３４ａが普通径部２１の外周面の形状に対応するように形成されている。このため、燃料ホース１５の外周面の形状を好適に整えることができ、屈曲部２３における肉厚を略均一なものとすることができる。
【００３７】
・  また、縮径部３２の内周面３２ａ、第１傾斜面３３ａ及び第２傾斜面３４ａは、これら面の境界に、例えば段差、角部等が存在しない一様な面となるように、連続して設けられている。このため、内周面３２ａ等によって形作られる燃料ホース１５の外周面は、第１領域２４及び第２領域２５に、例えば段差、突部、角部等が存在しない、一様な連続面となる。従って、屈曲部２３における外周面の膨らみを好適に防止することができる。
【００３８】
・  なお、実施形態のような形状の燃料ホース１５は、射出成形法でも成形することが可能である。また、射出成形法であれば、屈曲部２３に膨らみが形成されることもない。しかし、押出成形法に比べ、射出成形法は、単位時間当たりの生産量等といった生産性が劣るとともに、金型が複雑であり、設備費が嵩む。従って、押出成形法、マンドレル及び縮径治具を使用する製造方法の場合、射出成形法に比べ、燃料ホース１５を安価かつ大量に生産することができる。
（変更例）
なお、本実施形態は、次のように変更して具体化することも可能である。
【００３９】
・  キャップ３１において、縮径部３２、第１押圧部３３及び第２押圧部３４のうち少なくとも何れか１つを他のものと別体とし、縮径治具を構成してもよい。例えば、キャップ３１は、縮径部３２及び第１押圧部３３を有するものとし、このキャップ３１とは別に第２押圧部３４を有するリング部材を設け、これらキャップ３１及びリング部材によって縮径治具を構成してもよい。
【００４０】
・  実施形態では合成ゴムとしてＮＢＲとＰＶＣのポリマーブレンドを使用したが、これに限らず、合成ゴムであれば、何れを使用してもよい。なお、他の合成ゴムとしては、例えばエチレンプロピレンゴム（ＥＰＤＭ）、スチレンブタジエンゴム（ＳＢＲ）、ブタジエンゴム、ブチルゴム、イソプレンゴム、クロロプレンゴム、シリコーンゴム、ウレタンゴム等が挙げられる。また、合成ゴムに限らず、天然ゴムを使用してもよい。すなわち、管状体（実施形態では燃料ホース１５）の材料には、ゴムであれば合成ゴム、天然ゴムの何れを使用してもよい。
【００４１】
・  管状体は、燃料ホースに限らず、例えばラジエータホース、ブレーキホース等のホースであってもよい。また、ホースは、その周壁が１層構造のものに限らず、周壁が２層構造のもの、或いは周壁に補強用の糸、ワイヤー等が埋め込まれたものであってもよい。さらに、管状体は、ホースに限らず、例えばハーネスを挿入するためのチューブ等であってもよい。
【００４２】
・  縮径部３２の内周面３２ａ、第１傾斜面３３ａ及び第２傾斜面３４ａは、必ずしも連続面とすることに限らず、これら面の間に、例えば第１傾斜面３３ａに対して傾斜する第３傾斜面、第４傾斜面等を設けてもよい。
【００４３】
・  第２傾斜面３４ａは、必ずしも、普通径部２１において屈曲の内側となる外周面の形状と対応して設ける必要はなく、第２領域２５となる箇所の周縁を押圧し、膨らみ等の形状不良が形成されることを抑制可能な傾斜状に形成されていればよい。具体的に、このような傾斜状とする場合、縮径部３２の内周面３２ａを基準として、内周面３２ａに対する第２傾斜面３４ａの傾斜角度（α°）を、内周面３２ａに対する第１傾斜面３３ａの傾斜角度（θ°）に比べて小さく（α°＜θ°）すればよい。つまり、内周面３２ａを基準とした第２傾斜面３４ａの傾斜角度（α°）が第１傾斜面３３ａの傾斜角度（θ°）と同等か大きい場合（α°≧θ°）、第２傾斜面３４ａで第２領域２５となる箇所の周縁を押圧することができなくなる。また一方、内周面３２ａと第２傾斜面３４ａとを平行とした場合（α＝０）、第２傾斜面３４ａが第２領域２５となる箇所を過剰に押圧し、段差等が形成されるおそれがある。従って、内周面３２ａを基準とした第２傾斜面３４ａの傾斜角度（α°）は、０°より大きいことが好ましい。
【００４４】
さらに、前記実施形態より把握できる技術的思想について以下に記載する。
・  請求項１から請求項３の何れか一項に記載の管状体の製造方法によって得られることを特徴とする管状体。
【００４５】
・  未加硫又は半加硫の合成ゴムからなる管状素材に加硫処理を施して得られ、管状をなす普通径部と、該普通径部に比べて外径が小さな管状をなす小径部と、該小径部を前記普通径部に対して曲がった状態で繋げる屈曲部とを有する車両用の管状体の製造に使用される縮径治具であって、前記管状素材の一端部に外嵌されて使用されるものであり、前記小径部の外径と対応する内径となるように筒状に形成された縮径部と、前記屈曲部のうち屈曲の内側となる外周面の形状と対応するように前記縮径部の内周面に対して傾斜状に形成された第１傾斜面と、前記屈曲部と前記普通径部との境界領域を含む前記普通径部のうち屈曲の内側となる外周面の形状と対応するように前記第１傾斜面に対して傾斜状に形成された第２傾斜面とを備えていることを特徴とする縮径治具。
【図面の簡単な説明】
【００４６】
【図１】（ａ）は車両の燃料供給装置を示す概念図、（ｂ）は給油管を示す断面図、（ｃ）は接続筒を示す断面図。
【図２】（ａ）は実施形態の燃料ホースを示す正面図、（ｂ）は小径部を示す側面図、（ｃ）は普通径部を示す側面図。
【図３】（ａ）は実施形態のキャップを示す側面図、（ｂ）はキャップを示す正断面図。
【図４】（ａ）は実施形態のマンドレルを示す側面図、（ｂ）はマンドレルを示す正面図。
【図５】実施形態のキャップにマンドレルを挿入する状態を示す正断面図。
【図６】実施形態のキャップにマンドレルを挿入した状態を示す正断面図。
【図７】従来のキャップにマンドレルを挿入した状態を示す正断面図。
【符号の説明】
【００４７】
１５…管状体としての燃料ホース、２１…普通径部、２２…小径部、２３…屈曲部、３１…縮径治具としてのキャップ、３２…縮径部、３２ａ…縮径部の内周面、３３ａ…第１傾斜面、３４ａ…第２傾斜面、４１…マンドレル。
【図１】
2006192801.tif 000003
【図２】
2006192801.tif 000004
【図３】
2006192801.tif 000005
【図４】
2006192801.tif 000006
【図５】
2006192801.tif 000007
【図６】
2006192801.tif 000008
【図７】
2006192801.tif 000009